(57)【要約】【課題】自然環境に適合し、断熱効果が大きく、健康面によい影響を与え、軽量化と強度を考慮した製作をし易くする。【解決手段】多数の骨組用木材を用いて、建物１の基本構造となる骨組を組み立て、その木製骨組に多数の外壁用木材２５、３１を固着して木製外壁を形成し、建物吊り金具３８を複数個備え付けて構成する。そして、上記建物１の周囲壁部外面の少なくとも下部に施す外壁用木材として、半割り丸太２５を多数用い、その各半割り丸太２５の半割り側面を内側に向け、外皮除去側面を外側に向け、芯線を所定の方向に向けて、各半割り丸太２５を隣接する半割り丸太２５間の隙間をなくすように接触させて配設する。【選択図】図１
2005188116.tif 000002
【特許請求の範囲】
【請求項１】
多数の骨組用木材を用いて、建物の基本構造となる骨組を組み立て、その木製骨組に多数の外壁用木材を固着して木製外壁を形成し、建物吊り金具を複数個備え付けてなる移動型木質系建物であって、上記建物の周囲壁部外面の少なくとも下部に施す外壁用木材として、半割り丸太を多数用い、その各半割り丸太の半割り側面を内側に向け、外皮除去側面を外側に向け、芯線を所定の方向に向けて、各半割り丸太を隣接する半割り丸太間の隙間をなくすように接触させて配設することを特徴とする移動型木質系建物。
【請求項２】
半割り丸太の芯部を除去して用いることを特徴とする請求項１記載の移動型木質系建物。
【請求項３】
半割り丸太の固着部材としてビスを用いることを特徴とする請求項１又は２記載の移動型木質系建物。
【請求項４】
半割り丸太に硬材質の半割り丸太を用い、その他の外壁用木材に軟材質の板材を用いることを特徴とする請求項１、２又は３記載の移動型木質系建物。
【発明の詳細な説明】
【技術分野】
【０００１】
本発明は、カラマツ、スギ、ヒノキ等の間伐材やその他の樹種木材を用いる木質系の建物、特に建物全体を車に備え付けられたクレーンで吊り下げ、トラックで運搬する等して設置場所まで移動し、独立建物或いは増築用建物として据え付けた後に、仮設事務所、店舗、勉強部屋、居住建物、物置等として使用できる移動型木質系建物に関する。
【背景技術】
【０００２】
近年、戦後の植林によるカラマツ、スギ、ヒノキ等の間伐材が多量に発生し、国有林ではほとんどカラマツを植林したため、特にカラマツの使い道が問題となっている。ところが、カラマツ等は伐採後に充分乾燥させても、曲がり、捩れ等の変形が発生し易く、建築材として使用し難い。しかも、変形が発生しないように丸太を処理すると高価になる。そこで、間伐材はあまり使用されず、山の中に捨て置かれている。
【０００３】
このような間伐材が山の斜面等に多量に放置されていると、台風等による大雨によって間伐材が川に流れ出す。すると、間伐材が川を堰き止め、堤を決壊し、ダムを埋め、河口付近に打ち上げられて堆積し、海に漂流する等して、自然環境を破壊し、災害を発生する。そこで、多量に発生する特に口径の小さな即ち経済的価値の低い間伐材の有効利用が求められている。
【０００４】
しかし、口径の小さな間伐材等は加工度を上げたりしても、建築材として価値がなく、強度が小さくなって使用し難くなる。そこで、間伐材の有する強度をあまり損なわずに、建築材として使用できる対象物として、建物自体が小型で、建物全体を車に備え付けられたクレーンで吊り下げ、トラックで運搬する等して設置箇所まで移動し、据え付けて使用する移動型建物への適用を考えた。何故なら、このような移動型建物は建物全体を展示場等から移動して据え付けるだけでよく、仮設事務所、店舗、勉強部屋、居住建物、物置等として簡単に使用できるため、需要が多く期待できる。しかも、一般的な移動型建物としては車に備え付けられたクレーンで吊り下げ、トラックによる運搬等の移動を考慮して、骨組材に鉄骨を用い、外壁材に鉄板等を用いた鉄骨系建物が、軽量化し強度を大きくし易いため市販されているに過ぎない。
【発明の開示】
【発明が解決しようとする課題】
【０００５】
しかしながら、このような移動型鉄骨系建物は建物の主要部が金属製であって、冷たい感じがするので自然環境に適合しない。又、断熱効果が小さく、夏期と冬期の気温差の大きな気象条件の厳しい場所での使用に適しない。この点、木質系建物は暖かさが感じられて自然環境に適合するばかりでなく、断熱効果が大きく、その室内には木材からフィトンチッド等の揮発性物質が出て、健康面によい影響を与える等、建物として優れている。
【０００６】
本発明は、このような従来の問題点に着目してなされたものであり、自然環境に適合し、断熱効果が大きく、健康面によい影響を与え、軽量化と強度を考慮した製作し易い移動型木質系建物を提供することを目的とする。
【課題を解決するための手段】
【０００７】
上記目的を達成するために、本発明による移動型木質系建物は多数の骨組用木材を用いて、建物の基本構造となる骨組を組み立て、その木製骨組に多数の外壁用木材を固着して木製外壁を形成し、建物吊り金具を複数個備え付けて構成する。そして、上記建物の周囲壁部外面の少なくとも下部に施す外壁用木材として、半割り丸太を多数用い、その各半割り丸太の半割り側面を内側に向け、外皮除去側面を外側に向け、芯線を所定の方向に向けて、各半割り丸太の隣接する半割り丸太間の隙間をなくすように接触させて配設する。
【０００８】
又、上記半割り丸太の芯部を除去して用いると好ましくなる。
又、上記半割り丸太の固着部材としてビスを用いると良い。
又、上記半割り丸太に硬材質の半割り丸太を用い、その他の外壁用木材に軟材質の板材を用いると良い。
【発明の効果】
【０００９】
本発明の移動型木質系建物は建物吊り金物を複数個備えることにより、車に備え付けられたクレーンで吊り下げ、トラックで運搬する等して設置場所まで簡単に移動し、据え付けを行える。そして、多数の骨組用木材を用いて、建物の基本構造となる骨組を組み立て、その木製骨組に多数の外壁用木材を固着して木製外壁を形成すると、木質系建物になり、据え付け後に暖かい感じがして景観を損なわず、自然環境に良く適合させることができる。又、建物の断熱効果が大きく、気象条件の厳しい場所での使用に適し、その室内には木材から揮発性物質が出るため健康面によい影響を受けながら使用できる。
【００１０】
又、建物の周囲壁部外面の少なくとも下部に施す外壁用木材として、半割り丸太を用いると、間伐材等の原木丸太に施す加工を少なく、原木丸太の強度を板材にする場合と比べて大きく損なわずに使用できる。そして、多数の半割り丸太を用いることにより、建物の移動や据え付け作業に適するように、建物の強度を大きくして歪みを防止することができ、その他の外壁用木材に板材を用いることにより、建物を軽量化することができる。
【００１１】
又、建物の周囲壁部外面の少なくとも下部に施す各半割り丸太の半割り側面を内側に向け、外皮除去側面を外側に向け、芯線を所定の方向に向けて、各半割り丸太を隣接する半割り丸太間の隙間をなくすように接触させて配設することにより、建物の吊り下げ作業中やトラックによる運搬中等に、外部から衝撃や変形力を受け易い建物の周囲壁部外面の特に下部の強度を大きくし、歪みの発生を防止できる。
【００１２】
又、半割り丸太の芯部を除去して用いると、その芯部が特に曲がり、捩れ等の変形の原因となっているので、外壁施工後の半割り丸太の曲がり、捩れ等の変形を防止できる。
又、半割り丸太の固着部材としてビスを用いると、木製骨組に各半割り丸太をねじ止めして強固に固着できるため、半割り丸太の曲がり、捩れ等の変形を防止できる。
又、半割り丸太に硬材質の半割り丸太を用い、その他の外壁用木材に軟材質の板材を用いると、硬材質半割り丸太は軟材質半割り丸太より強度が大きく、軟材質板材は硬材質板材より軽いため、建物の軽量化と強度とを一段と選択し易くなり、建物の周囲壁部外面の特に下部の強度を一段と大きくし、歪みの発生を防止できる。
【発明を実施するための最良の形態】
【００１３】
以下、添付の図１〜６を参照して、本発明の実施の最良形態を説明する。
図１は本発明を適用した移動型木質系建物の正面図、図２はその右側面図である。この移動型木質系建物１は前後、左右壁部２、３、４、５、底部６、屋根部７とからなる箱型建物にする。そして、木質系建物にするため、建物１の基本構造となる骨組を従来から一般的な木質系建物に使用される多数の骨組用木材と、その結合用金物として羽子板ボルトとナット、火打金物等を主に用い、かすがい、Ｖ字金物、Ｔ字金物等を補助的に用いて強固に組み立てる。その際、底部６の骨組の中心となる土台８を、例えば９ｃｍ角のスギ材、カラマツ材等を用い、その木材同士のほぞとほぞ穴で結合した接続箇所を全て、更に羽子板ボルトとナットを用いて夫々結合し、図３に示すように格子状に組み立てる。又、土台８を構成する長方形枠部９の４隅内に歪み防止用として火打金物１０（１０ａ、…１０ｄ）を夫々取り付ける。
【００１４】
この土台８の長方形枠部９に分散させて、前後、左右壁部２、３、４、５の骨組の中心となる１０本の前後柱１１｛１１ａ（１１ａ１、…１１ａ５）、１１ｂ（１１ｂ１、…１１ｂ５）｝を、それ等に例えば９ｃｍ角のスギ材、カラマツ材等を用い、２本ずつ対応させて垂直に立てる。その際、建物１の間口を形成する左右両端にある前柱１１ａ１、１１ａ５の間隔を例えば４ｍ程、奥行を形成する前後両柱１１ａ、１１ｂの間隔を例えば２ｍ程にする。又、前柱１１ａの高さをいずれも等しく例えば２ｍ２０ｃｍ程にし、後柱１１ｂの高さをいずれも等しく例えば２ｍ程にする。なお、土台８の長方形枠部９と各柱１１のほぞとほぞ穴で結合した接続箇所を全て、更に羽子板ボルトとナットを用いて夫々結合する。
【００１５】
そして、屋根部７の骨組の中心となる２本の前後桁１２（１２ａ、１２ｂ）と５本の梁１３とを、それ等に例えば９ｃｍ角のスギ材、カラマツ材等を用いて柱１１に組み付ける（図４参照）。その際、前桁１２ａは５本の前柱１１ａの上に渡し、後桁１２ｂは５本の後柱１１ｂの上に渡して、その木材同士のほぞとほぞ穴で結合した接続箇所を全て、更に羽子板ボルトとナットを用いて夫々結合する。又、５本の梁１３は前後桁１２に分散させて、対応する前後柱１１の位置で掛け渡し、そのほぞとほぞ穴で結合した接続箇所を全て、更に羽子板ボルトとナットを用いて夫々結合する。又、前後桁１２と左右両端の梁１３とで形成される長方形枠部の４隅内に、歪み防止用として火打木材をそれ等に例えば９ｃｍ角のスギ材、カラマツ材等を用いてボルトとナットで結合して夫々取り付ける。
【００１６】
このようにして、建物１の主たる骨組を形成した後、前柱１１ａ２、１１ａ３の間、前柱１１ａ４、１１ａ５の間、及び後柱１１ｂ２、１１ｂ３の間に、いずれにもそれ等の両側の柱１１に角材等を掛け渡してサッシ用支持枠を形成し、前柱１１ａ２、１１ａ３の間と後柱１１ｂ２、１１ｂ３の間に高窓１４（１４ａ、１４ｂ）を夫々設置し、前柱１１ａ４、１１ａ５の間にドア１５を設置する。但し、ドアサッシ用支持枠には土台８を構成する長方形枠部９の一部を利用する。
【００１７】
その後、前後、左右壁部２、３、４、５、底部６、屋根部７の完成に向けて着手する。そこで、図４に示すように土台８に対しては、そのほぼ上面全域に下地として例えばベニヤ板１６を張り付け、その上にスギ材、カラマツ材等の根太１７を例えば３０ｃｍ程の間隔にして１３本分散配設し、その隣り合う根太１７の間に夫々断熱材として例えばグラスウール（図示なし）を敷く。すると、それ等の根太１７の上に床材として、例えばコンパネ１８を敷き詰めることによって、底部６が完成する。但し、土台８の底面には木材同士の接続箇所に防湿、防水部材として、例えばプラスチックパッキン１９を夫々取り付ける。なお、２０（２０ａ、２０ｂ）は羽子板ボルトである。
【００１８】
又、前後桁１２と５本の梁１３に対しては、そのほぼ上面全域に下地としてベニヤ板１６を張り付け、その上にスギ材、カラマツ材等の垂木２１を例えば３０ｃｍ程の間隔にして１５本分散配設し、その隣り合う垂木２１の間に夫々断熱材としてグラスウール（図示なし）を敷く。すると、それ等の垂木２１の上にアスファルトルーフィング２２を敷き詰め、更にカラー鉄板２３を平葺きすることによって、屋根部７が完成する。なお、屋根部７の周囲にスギ材、カラマツ材等からなる破風板３４を取り付ける。
【００１９】
又、１０本の柱１１に対しては、高窓１４、ドア１５等の設置箇所を除き、スギ材、カラマツ材等を用いて、隣り合う柱１１の間に４５ｃｍ程の間隔にして間柱（図示なし）を分散配設し、更に交差筋交い或いは片筋交い（図示なし）を分散配設する。その際、各筋交いの両端をいずれも結合金物を用いて、柱１１、土台８の対応位置に夫々強固に結合する。そして、それ等の柱１１、間柱、筋交いの外面のほぼ全域に下地として、透湿、防水性シート例えばタイベックシート２４を張り付ける。
【００２０】
そこで、タイベックシート２４を介在して、柱１１、間柱、筋交い等の外側に多数の外壁用木材を固着して木製外壁を形成する。その際、建物１の周囲壁部外面の少なくとも下部に施す外壁用木材として、間伐材等の径が例えば１３ｃｍ程の原木丸太を長手方向に沿って半分に割った半割り丸太２５を用いる。すると、半割り丸太２５にしても、原木丸太に施す加工が少なく、原木丸太の強度を板材にする場合と比べて大きく損なうことがない。なお、原木丸太には強度的に最低１０ｃｍの口径が必要である。施工時には土台側から順次、前後、左右壁部２、３、４、５毎に半割り丸太２５の半割り側面を内側に向け、外皮除去側面を外側に向け、芯線を水平方向に向けて配置し、その半割り丸太２５を柱１１等にビス止めして固着し、多数の半割り丸太２５につき同様の作業を繰り返し、各半割り丸太２５の隣接する半割り丸太間の隙間をなくすように接触させ垂直面状に配設する。
【００２１】
それ故、図５に示すように各半割り丸太２５はその長手方向に沿う両側コーナ部を面取りし、コーナ面２６（２６ａ、２６ｂ）を形成して用いるとよく、積み上げにより隣接する半割り丸太２５のコーナ面２６同士を良く接触させると隙間をなくすことができる。なお、２７は半割り側面、２８は外皮除去側面、２９は芯線の位置（原木丸太の中心線の位置）を示す。
【００２２】
そこで、建物１の周囲壁部外面に対し、半割り丸太２５を建物１の前壁部外面の下部（前壁部２の高さの１／３の高さ）より少し上方の高窓１４ａの下枠付近（土台上９０ｃｍ程の高さ）まで、９本積み上げて施し、左右壁部４、５の外面、後壁部３の外面についても同一高さまで同様に施す。又、それより上方には各壁部２、３、４、５の外面の最上位置にある半割り丸太２５との間に見切り３０を夫々介して、外壁用木材として多数の例えば幅が１０ｃｍ、厚みが１２ｍｍの板材３１を用い、それ等の各板材３１を順次釘打ちして積み上げて行く。すると、建物１の周囲壁部の木製外壁が完成する。なお、３２はスギ材等のコーナ材、３３は換気扇のフードである。
【００２３】
このようにして、多数の半割り丸太２５を用いると、建物１の移動や据え付け作業に適するように建物１の強度を大きくし、歪みを防止することができる。又、その他の外壁用木材として板材３１等を用いると、建物１を軽量化することができる。又、建物１の周囲壁部外面の少なくとも下部に多数の半割り丸太２５を施しておくと、建物１の吊り下げ作業中やトラックによる運搬中等に、外部からの衝撃や変形力を受け易い建物１の特に下部の強度を大きくし、歪みの発生を防止できる。
【００２４】
それ故、半割り丸太２５にカラマツ、ヒノキ等の硬材質の半割り丸太を用い、その他の外壁用木材にスギ等の軟材質の板材を用いると、硬材質の半割り丸太は軟材質の半割り丸太より強度が大きく軟材質板材は硬材質板材より軽いため、建物１の軽量化と強度とを一段と選択し易くなり、建物１の周囲壁部外面の特に下部の強度を一段と大きくし、歪みの発生を防止できる。
【００２５】
その際、硬材質半割り丸太としてカラマツを用いても、その半割り丸太２５をビス止めすると、半割り丸太２５を強固に固着できるため、その半割り丸太２５の曲がり、捩れ等の変形が発生するのを防止できる。しかも、そのような半割り丸太２５の変形は芯部の曲がり、捩れ等に起因するので、半割り丸太２５から、図６に示すように更に一定厚みｔを切断して芯部付近を除去した半割り丸太３５にして用いると、一段と変形の発生を防止できる。
【００２６】
このようにして、建物１の周囲壁部外面に木製外壁を施した後、隣り合う柱１１、間柱、筋交い等の間に断熱材としてグラスウールを夫々入れる。そして、周囲壁部内面に内壁用木材として、下部側にスギ板材３６等を施し、それより上部側にシナベニヤ板３７、或いは化粧ベニヤ板、スギ板等を施す。すると、前後、左右壁部２、３、４、５からなる周囲壁部の内外壁が完成し、建物１の本体が完成する。
【００２７】
そこで、建物１の本体に複数個例えば４個の建物吊り金具３８を備え付ける。この吊り金具３８には一般的にコンクリート基礎と建物との結合用に使用されているアンカーボルト３９とホールダン金物４０とを耐震性能に着目して転用する。そして、各吊り金具３８を１個ずつ柱１１ａ２、１１ｂ２、１１ａ４、１１ｂ４の上部付近に夫々固着する。その際、各アンカーボルト３９はその屈曲端部側を更に曲げ、先端を溶着してリング４１を形成した後に使用する。そして、いずれも図４に示すように、先にホールダン金物４０を柱１１の長手方向に沿わせて、ボルト４２とナットを３組用いて固着しておき、その結合部にアンカーボルト３９の直線端部側を屋根部７に設けた貫通穴を差し通して結合させる。すると、軒の突出寸法を自由に決定でき、各吊り金具３８を建物１の本体に夫々強固に結合できて、建物１が完成し、その全重量を１ｔ程にすることができる。なお、各アンカーボルト３９の屋根部７への挿通箇所にはいずれにもコーキング材を施し、木製外壁に塗装を施しておく。
【００２８】
このような建物１を展示場等に置き、注文に応じて購入者の自宅敷地等に据え付ける場合、屋根部７から上方に突出している各吊り金具３８のリング４１にワイヤーロープ等を取り付け、車に備え付けられたクレーンで吊り上げ、トラックで運搬する等して設置場所まで簡単に移動ができ、据え付けを行える。すると、建物１が木質系建物であるため、据え付け後に景観を損なわず、自然環境に良く適合する。しかも、建物１は断熱効果が大きく、気象条件の厳しい場所での使用に適している。又、室内には周囲の木材から揮発性物質が出るため、健康面によい影響を受けながら使用できる。
【００２９】
上記実施の形態では建物１の周囲壁部の外面に施す半割り丸太２５の芯線を水平方向に向けて配置する場合について説明したが、半割り丸太の芯線を垂直方向に向けて配置する等、任意の所定方向に向けて配置することができる。
【００３０】
又、上記実施の形態では建物１の周囲壁部の外面の高窓１４ａの下枠付近まで、半割り丸太２５を施す場合について説明したが、更に半割り丸太２５を上方の任意の高さまで、或いは全域に施すことができる。  
【図面の簡単な説明】
【００３１】
【図１】本発明を適用した移動型木質系建物の正面図である。
【図２】同移動型木質系建物の右側面図である。
【図３】同移動型木質系建物の土台骨組、そこに立設する柱の位置等を示す平面図である。
【００３２】
【図４】同移動型木質系建物の前壁部、底部、屋根部等の構造を示す要部の縦断面図である。
【図５】同移動型木質系建物の周囲壁部外面に施す半割り丸太の変形例を示す横断面図である。
【図６】同半割り丸太の他の変形例を示す横断面図である。
【符号の説明】
【００３３】
１…移動型木質系建物  ２、３、４、５…前後、左右壁部  ６…底部  ７…屋根部  ８…土台  ９…長方形枠部  １０…火打金物  １１…柱  １２…桁  １３…梁  １４…高窓  １５…ドア  １７…根太  ２１…垂木  ２３…カラー鉄板  ２４…透湿、防水性シート  ２５、３５…半割り丸太  ２６…コーナ面  ２７…半割り側面  ２８…外皮除去側面  ２９…芯線の位置  ３１…板材  ３８…建物吊り金具
【図１】
2005188116.tif 000003
【図２】
2005188116.tif 000004
【図３】
2005188116.tif 000005
【図４】
2005188116.tif 000006
【図５】
2005188116.tif 000007
【図６】
2005188116.tif 000008